(57)【要約】【課題】再生中の特定のシーンがどのようなシーンであったかということが後日わかるようにチャプタ名を付けて登録し、登録されたチャプタ名を選択して、選択されたチャプタ名のシーンをサーチして再生することができるようにする。【解決手段】ディスク再生装置にローディングされた光ディスクのディスク情報を読み出し、光ディスクの再生時に、再生中のシーンの登録が指令されたとき、該シーンのタイムコードを取り込み、該シーンのチャプタ名を入力して、チャプタ名をタイムコードとともに、ディスク情報の登録情報として記憶し、ディスク情報の登録情報の呼び出しが指令されたとき、ディスク情報の登録情報として登録されているチャプタ名を表示し、表示されたチャプタ名を選択して、選択されたチャプタ名とともに記憶されているタイムコードに基づいて、選択されたチャプタ名のシーンをサーチして再生するようにする。【選択図】　　　　図１
0003097876.tif 000002
【実用新案登録請求の範囲】
【請求項１】
光ディスクに記録された映像音声信号の特定のシーンをサーチして再生する機能を有するディスク再生装置であって、
ディスク再生装置にローディングされた光ディスクのディスク情報を読み出す読出手段と、光ディスクの再生時に、再生中のシーンの登録を指令する登録指令手段と、前記登録指令手段により再生中のシーンの登録が指令されたとき、該シーンのタイムコードを取り込む取込手段と、前記登録指令手段により登録が指令されたシーンのチャプタ名を入力する入力手段と、前記入力手段により入力されたチャプタ名を前記取込手段により取り込まれたタイムコードとともに、前記読出手段により読み出されたディスク情報の登録情報として記憶する記憶手段と、前記読出手段により読み出されたディスク情報の登録情報の呼び出しを指令する呼出指令手段と、前記呼出指令手段によりディスク情報の登録情報の呼び出しが指令されたとき、前記記憶手段に記憶されているディスク情報の登録情報を読み出して、ディスク情報の登録情報として記憶されているチャプタ名を表示する表示手段と、前記表示手段により表示されたチャプタ名を選択する選択手段と、前記選択手段により選択されたチャプタ名とともに前記記憶手段に記憶されているタイムコードに基づいて、前記選択手段により選択されたチャプタ名のシーンをサーチして再生する再生手段とを備えたことを特徴とするディスク再生装置。
【請求項２】
光ディスクに記録された映像音声信号の特定のシーンをサーチして再生する機能を有するディスク再生装置であって、
ディスク再生装置にローディングされた光ディスクのディスク情報を読み出す読出手段と、光ディスクの再生時に、再生中のシーンの登録を指令する登録指令手段と、前記登録指令手段により再生中のシーンの登録が指令されたとき、該シーンのタイムコードを取り込む取込手段と、前記登録指令手段により登録が指令されたシーンのチャプタ名を入力する入力手段と、前記入力手段により入力されたチャプタ名を前記取込手段により取り込まれたタイムコードとともに、前記読出手段により読み出されたディスク情報の登録情報として記憶する記憶手段とを備えたことを特徴とするディスク再生装置。
【請求項３】
前記記憶手段は、前記入力手段により入力されたチャプタ名が既に登録されている場合、前記入力手段により入力されたチャプタ名に連番を付けて、該チャプタ名を前記取込手段により取り込まれたタイムコードとともに記憶する記憶手段であることを特徴とする請求項１又は請求項２のいずれかに記載のディスク再生装置。
【請求項４】
前記読出手段により読み出されたディスク情報の登録情報の呼び出しを指令する呼出指令手段と、前記呼出指令手段によりディスク情報の登録情報の呼び出しが指令されたとき、前記記憶手段に記憶されているディスク情報の登録情報を読み出して、ディスク情報の登録情報として記憶されているチャプタ名を表示する表示手段と、前記表示手段により表示されたチャプタ名を選択する選択手段と、前記選択手段により選択されたチャプタ名とともに前記記憶手段に記憶されているタイムコードに基づいて、前記選択手段により選択されたチャプタ名のシーンをサーチして再生する再生手段とを備えたことを特徴とする請求項２記載のディスク再生装置。
【請求項５】
前記記憶手段は、不揮発性メモリであることを特徴とする請求項１又は請求項２のいずれかに記載のディスク再生装置。
【考案の詳細な説明】
【０００１】
【考案の属する技術分野】本考案は、ＤＶＤ（Ｄｉｇｉｔａｌ　Ｖｅｒｓａｔｉｌｅ　Ｄｉｓｃ）等の光ディスクを再生するディスク再生装置に係り、特に光ディスクの再生時に、再生中の特定のシーンにチャプタ名を付けて登録し、登録されたチャプタ名を選択して、選択されたチャプタ名のシーンをサーチして再生する機能を有するディスク再生装置に関する。
【０００２】
【従来の技術】周知のように、ＤＶＤを再生するディスク再生装置は、光ディスクの再生中の特定のシーンにマーカを設定して、マーカが設定された特定のシーンをサーチして再生することができるようになっている。しかし、特定のシーンにマーカを設定した後、時間が経過すると記憶が薄れ、マーカを設定したシーンがどのようなシーンであったかということがわからなくなるという問題点があった。
【０００３】従来の技術としては、タイトルデータ、チャプタデータ、セルデータ等のアドレスデータが映像データに付加されて記録されたＤＶＤ等のビデオディスクの再生時又は再生一時停止時に、再生映像の中の一部の特定シーンを指定して、指定されたシーンに対応するアドレスデータを格納し、格納された複数のアドレスデータのいずれかを選択して、選択されたアドレスデータに基づくシーンを再生するようにしたものがあった（例えば、特許文献１参照）。
【０００４】また、タイムコード又はそのユーザーズビットの時間的非連続点又は変化点を検知してカットの区切り点として、カットの先頭及び終了時のそれぞれの区切り点のタイムコード及び絶対アドレスと付加情報とを含むタイムコードカットの情報を記録順にそれぞれ管理番号を付け、一連のタイムコードカットに管理番号の先頭番号及び終了番号及び現在記録又は再生中のタイムコードカットの管理番号の情報を含む管理情報を付加して、メモリ及び記録媒体の映像又は音声信号とは別領域に記録して管理するようにしたものがあった（例えば、特許文献２参照）。
【０００５】また、ビデオデータを複数のシーンに分割してから、各シーンの再生に必要な区間情報とシーン番号とシーンを代表する画像の集まりであるインデックスを編集し、１つ以上のインデックスを作成して、各インデックスに検索目的を示したタイトルを付与し、作成されたビデオデータとインデックスとインデックスに付与したタイトルを蓄積して、検索時にタイトルを用いてインデックスを検索し、シーン番号の順番に従ってインデックスのシーンを次々に再生するようにしたものがあった（例えば、特許文献３参照）。
【０００６】また、記録媒体の再生中に任意の再生位置において登録指示を受け入れて、登録指示があった時の再生位置を記憶し、記憶されている各再生位置に基づき、各再生位置のうちいずれかの選択をタイトル番号及びタイトル番号内の再生時間の情報のメニュを提示して受け入れ、選択された再生位置から記録媒体の再生を行うようにしたものがあった（例えば、特許文献４参照）。
【０００７】
【特許文献１】特開２００１−１６５３５号公報
【特許文献２】特開２０００−１２５２４０号公報
【特許文献３】特開２００１−２８７２２号公報
【特許文献４】特開２００２−１００１６６号公報
【０００８】
【考案が解決しようとする課題】しかしながら、従来の技術で述べたもののうち最初のものにおいては、アドレスデータが映像データに付加されて記録されたＤＶＤ等のビデオディスクの再生時又は再生一時停止時に、再生映像の中の一部の特定シーンを指定して、指定されたシーンに対応するアドレスデータを格納し、格納された複数のアドレスデータのいずれかを選択して、選択されたアドレスデータに基づくシーンを再生することができたが、時間が経過すると記憶が薄れ、再生時又は再生一時停止時に指定した特定のシーンがどのようなシーンであったかということがわからなくなるという問題点があった。
【０００９】また、次のものにおいては、カットの先頭及び終了時のそれぞれの区切り点のタイムコード及び絶対アドレスと付加情報とを含むタイムコードカットの情報を記録順にそれぞれ管理番号を付け、一連のタイムコードカットに管理番号の先頭番号及び終了番号及び現在記録又は再生中のタイムコードカットの管理番号の情報を含む管理情報を付加して、メモリ及び記録媒体の映像又は音声信号とは別領域に記録して管理することができたが、再生中の特定のシーンにチャプタ名を付けて登録し、登録されたチャプタ名を選択して、選択されたチャプタ名のシーンをサーチして再生するようにしたものではなかった。
【００１０】また、更にその次のものにおいては、ビデオデータを複数のシーンに分割して、各シーンの再生に必要な区間情報とシーン番号とシーンを代表する画像の集まりであるインデックスを編集し、１つ以上のインデックスを作成して、各インデックスに検索目的を示したタイトルを付与し、作成されたビデオデータとインデックスとインデックスに付与したタイトルを蓄積して、検索時にタイトルを用いてインデックスを検索し、シーン番号の順番に従ってインデックスのシーンを次々に再生することができたが、再生中の特定のシーンにチャプタ名を付けて登録し、登録されたチャプタ名を選択して、選択されたチャプタ名のシーンをサーチして再生するようにしたものではなかった。
【００１１】また、更にその次のものにおいては、記録媒体の再生中に任意の再生位置において登録指示を受け入れて、登録指示があった時の再生位置を記憶し、記憶されている各再生位置に基づき、各再生位置のうちいずれかの選択をタイトル番号及びタイトル番号内の再生時間の情報のメニュを提示して受け入れ、選択された再生位置から記録媒体の再生を行うことができたが、再生中の特定のシーンにチャプタ名を付けて登録し、登録されたチャプタ名を選択して、選択されたチャプタ名のシーンをサーチして再生するようにしたものではなかった。
【００１２】本考案は、従来の技術の有するこのような問題点に鑑みてなされたものであり、その目的とするところは、再生中の特定のシーンがどのようなシーンであったかということが後日わかるようにチャプタ名を付けて登録し、登録されたチャプタ名を選択して、選択されたチャプタ名のシーンをサーチして再生することができるディスク再生装置を提供しようとするものである。
【００１３】
【課題を解決するための手段】上記目的を達成するために、本考案におけるディスク再生装置は、光ディスクに記録された映像音声信号の特定のシーンをサーチして再生する機能を有するディスク再生装置であって、ディスク再生装置にローディングされた光ディスクのディスク情報を読み出す読出手段と、光ディスクの再生時に、再生中のシーンの登録を指令する登録指令手段と、前記登録指令手段により再生中のシーンの登録が指令されたとき、該シーンのタイムコードを取り込む取込手段と、前記登録指令手段により登録が指令されたシーンのチャプタ名を入力する入力手段と、前記入力手段により入力されたチャプタ名を前記取込手段により取り込まれたタイムコードとともに、前記読出手段により読み出されたディスク情報の登録情報として記憶する記憶手段とを備える。
【００１４】前記記憶手段は、前記入力手段により入力されたチャプタ名が既に登録されている場合、前記入力手段により入力されたチャプタ名に連番を付けて、該チャプタ名を前記取込手段により取り込まれたタイムコードとともに記憶するようにするとよい。
【００１５】また、前記読出手段により読み出されたディスク情報の登録情報の呼び出しを指令する呼出指令手段と、前記呼出指令手段によりディスク情報の登録情報の呼び出しが指令されたとき、前記記憶手段に記憶されているディスク情報の登録情報を読み出して、ディスク情報の登録情報として記憶されているチャプタ名を表示する表示手段と、前記表示手段により表示されたチャプタ名を選択する選択手段と、前記選択手段により選択されたチャプタ名とともに前記記憶手段に記憶されているタイムコードに基づいて、前記選択手段により選択されたチャプタ名のシーンをサーチして再生する再生手段とを備える。
【００１６】前記記憶手段は、不揮発性メモリとするとよい。
【００１７】上記のように構成することにより、再生中の特定のシーンがどのようなシーンであったかということが後日わかるようにチャプタ名を付けて登録し、登録されたチャプタ名を選択して、選択されたチャプタ名のシーンをサーチして再生することができる。
【００１８】
【考案の実施の形態】以下、適宜図面を参照しながら本考案の実施の形態を詳述する。図１は本考案の実施の形態に係るディスク再生装置の構成を示すブロック図であり、図２は本考案の実施の形態に係るディスク再生装置のリモコン装置を示す説明図であり、図３は本考案の実施の形態に係るディスク再生装置のチャプタ名の一表示例を示す図であり、図４、図５は本考案の実施の形態に係るディスク再生装置の動作を示すフローチャートである。
【００１９】まず、図１の本考案の実施の形態に係るディスク再生装置の構成を示すブロック図を基に説明する。
【００２０】ディスク再生装置１は、光ディスク２に記録されている映像音声信号を光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された映像音声信号を基準クロックに基づいて同期検出し、アナログ信号の映像音声信号をデジタル信号に変換する同期検出／ＡＤ変換回路６と、デジタル信号に変換された映像音声信号を復調し、復調された映像音声信号の誤りを訂正する復調／誤り訂正回路７と、所定の圧縮方式に基づいて圧縮された映像音声信号を伸張して、元の映像音声信号に復号するデコーダ８と、復号された映像音声信号を所定の信号方式に従った映像音声信号、例えば、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式の映像音声信号に符号化して、符号化された映像音声信号をアナログ信号の映像音声信号に変換するエンコーダ／ＤＡ変換回路９と、映像信号に文字情報信号を重畳して、モニタ装置３０の画面に文字情報を表示するＯＳＤ（Ｏｎ−Ｓｃｒｅｅｎ　Ｃｈａｒａｃｔｅｒ　Ｄｉｓｐｌａｙ）回路１０と、ディスク再生装置１のシステム全体を制御するマイコン１１と、ディスク情報等を記憶する不揮発性メモリであるＥＥＰＲＯＭ（Ｅｌｅｃｔｒｉｃａｌｌｙ　Ｅｒａｓａｂｌｅａｎｄ　Ｐｒｏｇｒａｍｍａｂｌｅ　Ｒｅａｄ‐Ｏｎｌｙ　Ｍｅｍｏｒｙ）１２と、リモコン装置２０から送信された赤外線信号のリモコン信号を受信して、所定の電気信号に変換するリモコン受信部１３とで構成されている。
【００２１】また、図２の本考案の実施の形態に係るディスク再生装置のリモコン装置を示す説明図を基に説明する。
【００２２】リモコン装置２０には、再生中のシーンの登録を指令する登録キー２０ａ、ディスク情報の登録情報の呼び出しを指令する呼出キー２０ｂ、チャプタ名を入力するテンキー２０ｃ、チャプタ名を選択するカーソルキー２０ｄ、テンキー２０ｃにより入力されたチャプタ名を確定するとともに、カーソルキー２０ｄにより選択されたチャプタ名の選択を決定する決定キー２０ｅ、光ディスクの再生を指令する再生キー２０ｆ、光ディスクの再生停止を指令する停止キー２０ｇ、光ディスクの取り出しを指令する取出キー２０ｈ等の各種操作キーが設けられていて、それらの操作キーを操作することにより、ディスク再生装置１を所望動作させることができるようになっている。なお、リモコン装置２０のテンキー２０ｃは、それぞれのキーに割り当てられた複数の文字が循環して所望の文字を入力することができるようになっていて、例えば、テンキー２０ｃの「１」キーは、操作される毎に「ア→イ→ウ→エ→オ→ア」と循環して所望の文字を入力することができるようになっている。また、テンキー２０ｃにより入力されたカタカナ文字は、所定の操作キーを操作することにより、ひらがな文字、或いは漢字に変換することができるようになっている。
【００２３】以上のように構成されたディスク再生装置について、以下その動作について説明する。
【００２４】光ディスク２がディスク再生装置１にローディングされると、マイコン１１は、サーボ回路５に制御信号を送出して、スピンドルモータ４とスレッドモータ（図示せず）とを駆動し、光ピックアップ３により光ディスク２のディスク情報を読み出して、読み出された光ディスク２のディスク情報がＥＥＰＲＯＭ１２に記憶されていない場合、光ディスク２のディスク情報をＥＥＰＲＯＭ１２に記憶する。
【００２５】そして、リモコン装置２０の再生キー２０ｆが操作されると、再生キー２０ｆの赤外線信号のリモコン信号がリモコン装置２０から送信され、送信された赤外線信号のリモコン信号がディスク再生装置１のリモコン受信部１３により受信されて、所定の電気信号に変換されてマイコン１１に送出される。マイコン１１は、リモコン装置２０から送信された再生キー２０ｆのリモコン信号を受信すると、サーボ回路５に制御信号を送出して、スピンドルモータ４とスレッドモータ（図示せず）とを駆動して、光ピックアップ３により光ディスク２に記録されている映像音声信号を読み出し、読み出された映像音声信号を同期検出／ＡＤ変換回路６により基準クロックに基づいて同期検出して、アナログ信号の映像音声信号をデジタル信号に変換し、デジタル信号に変換された映像音声信号を復調／誤り訂正回路７により復調して、復調された映像音声信号の誤りを訂正し、誤り訂正された映像音声信号をデコーダ８により所定の圧縮方式に基づいて伸張して、元のデジタル信号の映像音声信号に復号する。そして、マイコン１１は、復号されたデジタル信号の映像音声信号をエンコーダ／ＤＡ変換回路９により所定の信号方式に従った映像音声信号、例えばＮＴＳＣ方式に従った映像音声信号に符号化し、符号化された映像音声信号をアナログ信号に変換して、ＯＳＤ回路１０を介してモニタ装置３０に送出し、光ディスク２に記録されている映像音声が再生する。
【００２６】光ディスク２の再生時に、再生中のシーンの登録を指令するリモコン装置２０の登録キー２０ａが操作されると、マイコン１１は、登録が指令されたシーンのタイムコードを取り込み、モニタ装置３０の画面３０ａをチャプタ名の入力画面３０ａに切り換える（図３（ａ）参照）。
【００２７】リモコン装置２０のテンキー２０ｃの操作によりチャプタ名が入力され、リモコン装置２０の決定キー２０ｄが操作されると、マイコン１１は、入力されたチャプタ名がＥＥＰＲＯＭ１２に既に登録されているか否かを判断して、入力されたチャプタ名が既に登録されていない場合、入力されたチャプタ名をタイムコードとともにディスク情報の登録情報としてＥＥＰＲＯＭ１２に記憶する。
【００２８】また、入力されたチャプタ名が既に登録されている場合、マイコン１１は、ＯＳＤ回路１０に文字情報信号と制御信号とを送出して、入力されたチャプタ名が既に登録されていることをモニタ装置３０の画面３０ａに表示する（図示せず）。そして、リモコン装置２０の登録キー２０ａが操作されると、マイコン１１は、入力されたチャプタ名の後に連番を付けて、該チャプタ名をタイムコードとともにディスク情報の登録情報としてＥＥＰＲＯＭ１２に記憶する。また、入力されたチャプタ名が既に登録されている場合、リモコン装置２０のテンキー２０ｃを操作することにより、先に入力したチャプタ名が取り消され、新たなチャプタ名を入力することができるようになっている。
【００２９】リモコン装置２０の呼出キー２０ｂが操作されると、光ディスク２のディスク情報の登録情報がＥＥＰＲＯＭ１２に記憶されている場合、マイコン１１は、ＥＥＰＲＯＭ１２に記憶されている光ディスク２のディスク情報の登録情報を読み出し、ＯＳＤ回路１０に文字情報信号と制御信号とを送出して、ディスク情報の登録情報として登録されているチャプタ名をモニタ装置３０の画面３０ａに表示する（図３（ｂ）参照）。
【００３０】そして、リモコン装置２０のカーソルキー２０ｄと決定キー２０ｅとの操作によりモニタ装置の画面に表示されたチャプタ名のいずれかが選択されると、マイコン１１は、サーボ回路５に制御信号を送出して、スピンドルモータ４とスレッドモータ（図示せず）とを駆動し、選択されたチャプタ名とともにＥＥＰＲＯＭ１２に記憶されているタイムコードに基づいて、選択されたチャプタ名のシーンをサーチして再生する。
【００３１】また、ディスク情報の登録情報がＥＥＰＲＯＭ１２に記憶されていない場合、マイコン１１は、ＯＳＤ回路１０に文字情報信号と制御信号とを送出して、ディスク情報の登録情報がないことをモニタ装置３０の画面３０ａに表示する（図示せず）。
【００３２】リモコン装置２０の停止キー２０ｇが操作されると、マイコン１１は、サーボ回路５に制御信号を送出して、光ディスクの再生を停止する。そして、リモコン装置２０の取出キー２０ｈが操作されると、マイコン１１は、トレイモータを駆動してディスクトレイ（いずれも図示せず）をディスク再生装置１から引き出し、光ディスク２を取り出して他の光ディスクに交換することができるようにする。
【００３３】また、図４、図５の本考案の実施の形態に係るディスク再生装置の動作を示すフローチャートを基に説明する。
【００３４】光ディスクがディスク再生装置にローディングされると、ステップＳ１からステップＳ２に進み、ステップＳ２で、ローディングされた光ディスクのディスク情報が読み出され、ステップＳ３に進む。
【００３５】ステップＳ３で、ローディングされた光ディスクのディスク情報がメモリに記憶されているか否かが判断され、ローディングされた光ディスクのディスク情報がメモリに記憶されている場合、ステップＳ５に進み、ローディングされた光ディスクのディスク情報がメモリに記憶されていない場合、ステップＳ４に進む。
【００３６】ステップＳ４で、ローディングされた光ディスクのディスク情報がメモリに記憶され、ステップＳ５に進む。
【００３７】ステップＳ５で、ディスク情報の登録情報の呼び出しを指令するリモコン装置の呼出キーが操作されたか否かが判断され、リモコン装置の呼出キーが操作された場合、ステップＳ６に進み、リモコン装置の呼出キーが操作されていない場合、ステップＳ９に進む。
【００３８】ステップＳ６で、ローディングされた光ディスクのディスク情報の登録情報がメモリに記憶されているか否かが判断され、ローディングされた光ディスクのディスク情報の登録情報がメモリに記憶されている場合、ステップＳ７に進み、ローディングされた光ディスクのディスク情報の登録情報がメモリに記憶されていない場合、ステップＳ８に進む。
【００３９】ステップＳ７で、メモリに記憶されているディスク情報の登録情報が読み出されて、ディスク情報の登録情報として登録されているチャプタ名がモニタ装置の画面に表示され、ステップＳ９に進む。
【００４０】ステップＳ８で、ディスク情報の登録情報がないことがモニタ装置の画面に表示され、ステップＳ１１に進む。
【００４１】ステップＳ９で、リモコン装置のカーソルキーと決定キーとの操作により、モニタ装置の画面に表示されたチャプタ名のいずれかが選択されたか否かが判断され、モニタ装置の画面に表示されたチャプタ名のいずれかが選択された場合、ステップＳ１０に進み、モニタ装置の画面に表示されたチャプタ名のいずれもが選択されていない場合、ステップＳ１１に進む。
【００４２】ステップＳ１０で、選択されたチャプタ名とともにメモリに記憶されているタイムコードに基づいて、選択されたチャプタ名のシーンがサーチされて再生され、ステップＳ１３に進む。
【００４３】ステップＳ１１で、光ディスクの再生を指令するリモコン装置の再生キーが操作されたか否かが判断され、リモコン装置の再生キーが操作された場合、ステップＳ１２に進み、リモコン装置の再生キーが操作されていない場合、ステップＳ２２に進む。
【００４４】ステップＳ１２で、光ディスクが再生され、ステップＳ１３に進む。
【００４５】ステップＳ１３で、再生中のシーンの登録を指令するリモコン装置の登録キーが操作されたか否かが判断され、リモコン装置の登録キーが操作された場合、ステップＳ１４に進み、リモコン装置の登録キーが操作されていない場合、ステップＳ２１に進む。
【００４６】ステップＳ１４で、リモコン装置の登録キーの操作により登録が指令されたシーンのタイムコードが取り込まれ、モニタ装置の画面がチャプタ名の入力画面に切り換えられて、ステップＳ１５に進む。
【００４７】ステップＳ１５で、リモコン装置のテンキーと決定キーとの操作により、チャプタ名が入力されたか否かが判断され、チャプタ名が入力された場合、ステップＳ１６に進み、チャプタ名が入力されていない場合、ステップＳ１５に戻って、ステップＳ１５からのステップを繰り返す。
【００４８】ステップＳ１６で、入力されたチャプタ名が既に登録されているか否かが判断され、入力されたチャプタ名が既に登録されている場合、ステップＳ１７に進み、入力されたチャプタ名が登録されていない場合、ステップＳ２０に進む。
【００４９】ステップＳ１７で、入力されたチャプタ名が既に登録されていることがモニタ装置の画面に表示され、ステップＳ１８に進む。
【００５０】ステップＳ１８で、リモコン装置の登録キーが操作されたか否かが判断され、リモコン装置の登録キーが操作された場合、ステップＳ１９に進み、リモコン装置の登録キーが操作されていない場合、ステップＳ１５に戻って、ステップＳ１５からのステップを繰り返す。
【００５１】ステップＳ１９で、入力されたチャプタ名の後に連番が付けられて、ステップＳ２０に進む。
【００５２】ステップＳ２０で、入力されたチャプタ名がタイムコードとともにディスク情報の登録情報としてメモリに記憶され、ステップＳ２１に進む。
【００５３】ステップＳ２１で、光ディスクの再生停止を指令するリモコン装置の停止キーが操作されたか否かが判断され、リモコン装置の停止キーが操作された場合、ステップＳ２２に進み、リモコン装置の停止キーが操作されていない場合、ステップＳ１３に戻って、ステップＳ１３からのステップを繰り返す。
【００５４】ステップＳ２２で、光ディスクの取り出しを指令するリモコン装置の取出キーが操作されたか否かが判断され、リモコン装置の取出キーが操作された場合、ステップＳ２３に進み、リモコン装置の取出キーが操作されていない場合、ステップＳ５に戻って、ステップＳ５からのステップを繰り返す。
【００５５】ステップＳ２３で、光ディスクがディスク再生装置から取り出され、ステップＳ２４に進んで処理を終了する。
【００５６】以上、本考案の実施の形態について詳述したが、本考案はこれに限らず、当業者の通常の知識の範囲内でその変形や改良が可能である。例えば、リモコン装置に設けられた登録キー、呼出キー等の各種操作キーを操作してディスク再生装置を所望動作させることを説明したが、リモコン装置に設けられた登録キー、呼出キー等の各種操作キーをディスク再生装置の操作パネルにも設けるようにしてもよい。
【００５７】
【考案の効果】以上説明してきたように、本考案によるディスク再生装置によれば、ディスク再生装置にローディングされた光ディスクのディスク情報を読み出し、光ディスクの再生時に、再生中のシーンの登録が指令されたとき、該シーンのタイムコードを取り込み、登録が指令されたシーンのチャプタ名を入力して、入力されたチャプタ名をタイムコードとともに、ディスク情報の登録情報としてＥＥＰＲＯＭに記憶し、ディスク情報の登録情報の呼び出しが指令されたとき、ＥＥＰＲＯＭに記憶されているディスク情報の登録情報を読み出して、ディスク情報の登録情報として記憶されているチャプタ名をモニタ装置の画面に表示し、表示されたチャプタ名を選択して、選択されたチャプタ名とともにＥＥＰＲＯＭに記憶されているタイムコードに基づいて、選択されたチャプタ名のシーンをサーチして再生することができる。このことにより、再生中の特定のシーンがどのようなシーンであったかということが後日わかるようにチャプタ名を付けて登録し、登録されたチャプタ名を選択して、選択されたチャプタ名のシーンをサーチして再生することができる。
【００５８】請求項１記載の考案に係るディスク再生装置は、ディスク再生装置にローディングされた光ディスクのディスク情報を読み出し、光ディスクの再生時に、再生中のシーンの登録が指令されたとき、該シーンのタイムコードを取り込み、登録が指令されたシーンのチャプタ名を入力して、入力されたチャプタ名をタイムコードとともに、ディスク情報の登録情報としてＥＥＰＲＯＭに記憶し、ディスク情報の登録情報の呼び出しが指令されたとき、ＥＥＰＲＯＭに記憶されているディスク情報の登録情報を読み出して、ディスク情報の登録情報として記憶されているチャプタ名をモニタ装置の画面に表示し、表示されたチャプタ名を選択して、選択されたチャプタ名とともにＥＥＰＲＯＭに記憶されているタイムコードに基づいて、選択されたチャプタ名のシーンをサーチして再生することができるようにしている。
【００５９】請求項２記載の考案に係るディスク再生装置は、ディスク再生装置にローディングされた光ディスクのディスク情報を読み出し、光ディスクの再生時に、再生中のシーンの登録が指令されたとき、該シーンのタイムコードを取り込み、登録が指令されたシーンのチャプタ名を入力して、入力されたチャプタ名をタイムコードとともに、ディスク情報の登録情報として記憶するようにしている。
【００６０】請求項３記載の考案に係るディスク再生装置は、入力されたチャプタ名が既に登録されている場合、入力されたチャプタ名に連番を付けて、該チャプタ名をタイムコードとともに記憶することができるようにしている。
【００６１】請求項４記載の考案に係るディスク再生装置は、ディスク情報の登録情報の呼び出しが指令されたとき、記憶されているディスク情報の登録情報を読み出して、ディスク情報の登録情報として記憶されているチャプタ名を表示し、表示されたチャプタ名を選択して、選択されたチャプタ名とともに記憶されているタイムコードに基づいて、選択されたチャプタ名のシーンをサーチして再生することができるようにしている。
【００６２】請求項５記載の考案に係るディスク再生装置は、不揮発性メモリにディスク情報の登録情報を記憶するようにしているので、ディスク再生装置の電源がＯＦＦになってもディスク情報の登録情報を保持することができる。
【図面の簡単な説明】
【図１】本考案の実施の形態に係るディスク再生装置の構成を示すブロック図である。
【図２】本考案の実施の形態に係るディスク再生装置のリモコン装置を示す説明図である。
【図３】本考案の実施の形態に係るディスク再生装置のチャプタ名の一表示例を示す図である。
【図４】本考案の実施の形態に係るディスク再生装置の動作を示すフローチャートである。
【図５】本考案の実施の形態に係るディスク再生装置の動作を示すフローチャートである。
【符号の説明】
１　ディスク再生装置
２　光ディスク
３　光ピックアップ
４　スピンドルモータ
５　サーボ回路
６　同期検出／ＡＤ変換回路
７　復調／誤り訂正回路
８　デコーダ
９　エンコーダ／ＤＡ変換回路
１０　ＯＳＤ回路
１１　マイコン
１２　ＥＥＰＲＯＭ
１３　リモコン受信部
２０　リモコン装置
２０ａ　登録キー
２０ｂ　呼出キー
２０ｃ　テンキー
２０ｄ　カーソルキー
２０ｅ　決定キー
２０ｆ　再生キー
２０ｇ　停止キー
２０ｈ　取出キー
３０　モニタ装置
３０ａ　画面
【図１】
0003097876.tif 000003
【図２】
0003097876.tif 000004
【図３】
0003097876.tif 000005
【図４】
0003097876.tif 000006
【図５】
0003097876.tif 000007